(57)【要約】  室内機（１）、室外機（２）、および室内機（１）に空調制御の指令をするリモートコントローラ（３）を含む空気調和機（４）であって、各々が異なる異常を検出する漏洩センサ（１３）、センサ（１４−１，１４−２，２３−１，２３−２）と、空気調和機（４）で発生する異常についての異常毎の重要度、および漏洩センサ（１３）、各センサで検出された異常の情報を記憶する記憶部（１５）と、各センサで検出された異常の情報を記憶部（１５）に記憶させ、記憶部（１５）に記憶されている異常の情報を表示させる制御を行う制御部（１２）と、を備え、制御部（１２）は、各センサで検出された異常の数が記憶部（１５）で異常の情報を記憶可能な規定された数を超える場合、重要度の高い順に規定された数の異常の情報を記憶部（１５）に記憶させることを特徴とする。
2017195368.tif 000002
【特許請求の範囲】
【請求項１】
室内機、室外機、および前記室内機に空調制御の指令をするリモートコントローラを含む空気調和機であって、
各々が異なる異常を検出する複数のセンサと、
前記空気調和機で発生する異常についての異常毎の重要度、および各センサで検出された異常の情報を記憶する記憶部と、
各センサで検出された異常の情報を前記記憶部に記憶させ、前記記憶部に記憶されている異常の情報を表示させる制御を行う制御部と、
を備え、
前記制御部は、各センサで検出された異常の数が前記記憶部で異常の情報を記憶可能な規定された数を超える場合、重要度の高い順に前記規定された数の異常の情報を前記記憶部に記憶させる、
ことを特徴とする空気調和機。
【請求項２】
前記制御部は、前記記憶部において前記規定された数の異常の情報を記憶しており、前記複数のセンサのうちのあるセンサで新たに異常が検出された場合、前記記憶部に記憶されている異常の情報のうち最も低い重要度の異常よりも新たに検出された異常の方が高い重要度の場合、前記記憶部から最も低い重要度の異常の情報を削除し、新たに検出された異常の情報を前記記憶部に記憶させる、
ことを特徴とする請求項１に記載の空気調和機。
【請求項３】
前記制御部は、前記記憶部において前記規定された数の異常の情報を記憶しており、前記複数のセンサのうちのあるセンサで新たに異常が検出された場合、前記記憶部に記憶されている異常の情報のうち最も低い重要度の異常よりも新たに検出された異常の方が低い重要度の場合、新たに検出された異常の情報を前記記憶部に記憶しない、
ことを特徴とする請求項１に記載の空気調和機。
【請求項４】
前記制御部は、前記記憶部に記憶されている異常の情報を、前記室内機、前記室外機、または前記リモートコントローラが備える表示部に表示させる、
ことを特徴とする請求項１から３のいずれか１つに記載の空気調和機。
【請求項５】
前記制御部は、複数の異常の情報をスクロールにより順番に表示させる、
ことを特徴とする請求項４に記載の空気調和機。
【発明の詳細な説明】
【技術分野】
【０００１】
本発明は、検出した異常の内容を表示する空気調和機に関する。
【背景技術】
【０００２】
従来、空気調和機では、複数のセンサを備え、各センサによって異常が検出された場合、検出された異常の内容を室内機またはリモートコントローラなどに表示して、使用者に認識させている。特許文献１には、空気調和機は、複数の異常が検出された場合、各異常の情報を記憶し、検出された異常の情報をスクロールして順番に表示する技術が開示されている。
【先行技術文献】
【特許文献】
【０００３】
【特許文献１】特開２００８−１７００４７号公報
【発明の概要】
【発明が解決しようとする課題】
【０００４】
しかしながら、特許文献１に記載の空気調和機は、空気調和機において重要度の低い異常を含めて多くの異常が検出された場合、スクロール表示では重要度の高い異常が埋もれてしまい、使用者が重要度の高い異常を認識できない可能性がある、という問題があった。また、特許文献１に記載の空気調和機は、検出された全ての異常の情報を記憶するため、多くの異常が検出された場合を想定して記憶容量の大きいメモリを備える必要がある、という問題があった。【０００５】
本発明は、上記に鑑みてなされたものであって、簡易な構成で重要度の高い異常を表示可能な空気調和機を得ることを目的とする。
【課題を解決するための手段】
【０００６】
上述した課題を解決し、目的を達成するために、本発明に係る空気調和機は、室内機、室外機、および室内機に空調制御の指令をするリモートコントローラを含む。空気調和機は、各々が異なる異常を検出する複数のセンサを備える。また、空気調和機は、空気調和機で発生する異常についての異常毎の重要度、および各センサで検出された異常の情報を記憶する記憶部を備える。また、空気調和機は、各センサで検出された異常の情報を記憶部に記憶させ、記憶部に記憶されている異常の情報を表示させる制御を行う制御部を備える。制御部は、各センサで検出された異常の数が記憶部で異常の情報を記憶可能な規定された数を超える場合、重要度の高い順に規定された数の異常の情報を記憶部に記憶させることを特徴とする。
【発明の効果】
【０００７】
本発明に係る空気調和機は、簡易な構成で重要度の高い異常を表示できる、という効果を奏する。
【図面の簡単な説明】
【０００８】
【図１】空気調和機の構成例を示す図
【図２】空気調和機を構成する室内機、室外機、およびリモコンの構成例を示すブロック図
【図３】空気調和機において、空気調和機に発生する異常を検出して表示する処理を示すフローチャート
【図４】空気調和機において、空気調和機で検出された異常の情報を記憶する処理を示すフローチャート
【図５】空気調和機において、空気調和機で検出された異常の情報を表示する処理を示すフローチャート
【図６】室内機の処理回路をＣＰＵおよびメモリで構成する場合の例を示す図
【図７】室内機の処理回路を専用のハードウェアで構成する場合の例を示す図
【発明を実施するための形態】
【０００９】
以下に、本発明の実施の形態に係る空気調和機を図面に基づいて詳細に説明する。なお、この実施の形態によりこの発明が限定されるものではない。
【００１０】
実施の形態．
図１は、本発明の実施の形態に係る空気調和機４の構成例を示す図である。空気調和機４は、図１に示す室内機１、室外機２、および図１において図示していない、室内機１に空調制御の指令をするリモートコントローラ（以下、リモコンとする。）を備える。室内機１は、例えば、室内の床に置かれる縦型タイプの室内機である。ここでは、室外機２は、１つの室内機１と接続しているが、複数の室内機１と接続する形態であってもよい。空気調和機４は、可燃性の冷媒、例えば、Ｒ３２を使用しているものとする。
【００１１】
図２は、本実施の形態に係る空気調和機４を構成する室内機１、室外機２、およびリモコン３の構成例を示すブロック図である。
【００１２】
室内機１は、室外機２との間で通信を行う通信部１１と、室内機１の動作を制御する制御部１２と、室内機１において冷媒の漏洩の異常を検出する漏洩センサ１３と、室内機１において冷媒の漏洩以外の異常、例えば室内機１内の温度、ファン１８の回転数などを検出するセンサ１４−１，１４−２と、を備える。漏洩センサ１３は、例えば、ガスセンサである。または、漏洩センサ１３は、例えば、冷媒が流れる配管に設置され、配管の温度変化により冷媒の漏洩を検出するサーミスタである。以降の説明においてセンサ１４−１，１４−２を区別しない場合、センサ１４と称することがある。
【００１３】
また、室内機１は、制御部１２の空調制御などにおいて必要な制御情報を記憶する記憶部１５と、漏洩センサ１３またはセンサ１４−１，１４−２などで検出された異常などを表示する表示部１６と、リモコン３との間で通信を行う通信部１７と、室内機１内の空気を巡回させるファン１８と、を備える。記憶部１５は、後述するように、空気調和機４で発生する異常についての異常毎の重要度を記憶し、室内機１および室外機２の各センサで検出された異常の情報のうち規定された数の異常の情報を記憶する。各センサには、室内機１の漏洩センサ１３、センサ１４−１，１４−２、および後述する室外機２のセンサ２３−１，２３−２が含まれる。
【００１４】
室内機１は、３つ以上のセンサ１４を備えてもよい。また、室内機１は、表示部１６を備えない構成にしてもよい。なお、図２では本実施の形態の動作に関わる構成のみを示しており、室内機として一般的な動作を行う構成については記載を省略している。
【００１５】
室外機２は、室内機１との間で通信を行う通信部２１と、室外機２の動作を制御する制御部２２と、室外機２において冷媒の漏洩以外の異常、例えば室外機２内の温度などを検出するセンサ２３−１，２３−２と、センサ２３−１，２３−２などで検出された異常などを表示する表示部２４と、を備える。以降の説明においてセンサ２３−１，２３−２を区別しない場合、センサ２３と称することがある。
【００１６】
室外機２は、３つ以上のセンサ２３を備えてもよい。また、室外機２は、表示部２４を備えない構成にしてもよい。なお、図２では本実施の形態の動作に関わる構成のみを示しており、室外機として一般的な動作を行う構成については記載を省略している。
【００１７】
リモコン３は、室内機１との間で通信を行う通信部３１と、室内機１または室外機２で検出された異常などを表示する表示部３２と、を備える。
【００１８】
なお、図２では本実施の形態の動作に関わる構成のみを示しており、リモコンとして一般的な動作を行う構成については記載を省略している。
【００１９】
室内機１およびリモコン３については、有線で接続された構成でもよいし、有線で接続されていない構成でもよい。室内機１およびリモコン３が有線接続されている場合、室内機１の通信部１７およびリモコン３の通信部３１は、有線通信によって通信を行う。室内機１およびリモコン３が有線接続されていない場合、室内機１の通信部１７およびリモコン３の通信部３１は、無線通信によって通信を行う。
【００２０】
室内機１および室外機２は有線接続されている。室内機１の制御部１２は、通信部１１および室外機２の通信部２１を介して、室外機２の制御部２２との間で制御情報などの送受信を行う。また、室外機２の制御部２２は、センサ２３−１，２３−２で検出された異常の情報を、通信部２１および室内機１の通信部１１を介して、室内機１の制御部１２へ送信する。室内機１の制御部１２は、室外機２の制御部２２から、室外機２のセンサ２３−１，２３−２で検出された異常の情報を、通信部１１および室外機２の通信部２１を介して受信する。漏洩センサ１３、センサ１４−１，１４−２、およびセンサ２３−１，２３−２は、各々が異なる異常を検出するセンサである。
【００２１】
本実施の形態において、室内機１の制御部１２は、空気調和機４の運転状態を検出し、空気調和機４が空調制御の運転時、空気調和機４の全てのセンサ、すなわち室内機１の漏洩センサ１３およびセンサ１４−１，１４−２、室外機２のセンサ２３−１，２３−２を動作させる。
【００２２】
一方、制御部１２は、空気調和機４が空調制御をしていない非運転時すなわち停止時、室内機１の漏洩センサ１３を動作させ、室内機１のセンサ１４−１，１４−２および室外機２のセンサ２３−１，２３−２は動作させない。制御部１２は、可燃性の冷媒が漏洩した場合の使用者への影響を考慮して、空気調和機４が非運転時でも漏洩センサ１３を動作させ、冷媒の漏洩を検出できるようにする。制御部１２は、制御部１２に供給されている電力を、非運転時においても漏洩センサ１３に供給する。これにより、空気調和機４では、室内機１に電力が供給されている場合には、空調制御をしていない非運転時の状態であっても、漏洩センサ１３に電力を供給して動作させ、冷媒の漏洩を検出することが可能となる。
【００２３】
また、本実施の形態において、室内機１の記憶部１５は、室内機１の漏洩センサ１３およびセンサ１４−１，１４−２、室外機２のセンサ２３−１，２３−２で検出される各異常について、異常毎の重要度の情報を記憶しているものとする。重要度の情報については、空気調和機４の生産者が初期設定で予め記憶部１５に設定して記憶させておいてもよいし、空気調和機４の使用者が設定または初期設定を変更できるようにしてもよい。
【００２４】
制御部１２は、室内機１の漏洩センサ１３およびセンサ１４−１，１４−２、室外機２のセンサ２３−１，２３−２で異常が検出された場合、検出された異常の情報を各センサから取得し、取得した異常の情報を記憶部１５に記憶させる。異常の情報とは、検出された異常の種別、異常を検出したセンサ、異常の状態を示す数値による情報がある場合には数値情報、などを含む情報である。重要度の情報を異常の情報に含めてもよい。ここで、記憶部１５は、検出された異常の情報を記憶するための記憶領域として、規定された数の異常の情報を記憶可能な記憶領域を有する。本実施の形態では、一例として、規定された数を３つ、すなわち、記憶部１５で記憶可能な異常の情報は３つとする。
【００２５】
制御部１２は、室内機１の漏洩センサ１３およびセンサ１４−１，１４−２、室外機２のセンサ２３−１，２３−２で４つ以上の異常が検出された、すなわち、記憶部１５で異常の情報を記憶可能な数を超える異常が検出された場合、記憶部１５に記憶されている各異常の重要度を参照し、重要度の高い異常から順に記憶部１５で記憶可能な数の異常の情報を記憶部１５に記憶させる。室内機１の制御部１２は、記憶部１５において規定された数の異常の情報を記憶しており、漏洩センサ１３、センサ１４−１，１４−２、およびセンサ２３−１，２３−２のうちあるセンサで新たに異常が検出された場合、記憶部１５に記憶されている異常の情報のうち最も低い重要度の異常よりも新たに検出された異常の方が高い重要度の場合、記憶部１５から最も低い重要度の異常の情報を削除し、新たに検出された異常の情報を記憶部１５に記憶させる。
【００２６】
例えば、漏洩センサ１３、センサ１４−１、センサ１４−２、センサ２３−１、センサ２３−２で検出される異常の順番で異常の重要度が高いとする。すなわち、漏洩センサ１３で検出される異常の重要度が最も高く、センサ２３−２で検出される異常の重要度が最も低いとする。制御部１２は、漏洩センサ１３、センサ１４−１，１４−２、センサ２３−１，２３−２で異常が検出された場合、重要度の高い漏洩センサ１３、センサ１４−１，１４−２で検出された３つの異常の情報を記憶部１５に記憶させる。
【００２７】
記憶部１５に既に漏洩センサ１３、センサ１４−１、センサ２３−１で検出された異常の情報が記憶されている状態において、新たにセンサ１４−２で異常が検出された場合を想定する。制御部１２は、センサ１４−２で検出された異常の重要度がセンサ２３−１で検出された異常の重要度よりも高いことから、記憶部１５からセンサ２３−１で検出された異常の情報を削除し、センサ１４−２で検出された異常の情報を記憶部１５に記憶させる。
【００２８】
記憶部１５に既に漏洩センサ１３、センサ１４−１、センサ１４−２で検出された異常の情報が記憶されている状態において、新たにセンサ２３−１で異常が検出された場合を想定する。制御部１２は、センサ２３−１で検出された異常の重要度がセンサ１４−２で検出された異常の重要度よりも低いことから、センサ２３−１で検出された異常の情報を記憶部１５に記憶しない。
【００２９】
また、制御部１２は、記憶部１５に記憶されている異常の情報を、室内機１の表示部１６、室外機２の表示部２４、またはリモコン３の表示部３２に表示させる。このとき、制御部１２は、記憶部１５に２つ以上の異常の情報が記憶されている場合、２つ以上の異常の情報をスクロール表示などによって順番に表示させる。これにより、空気調和機４では、複数の異常が検出されている場合において、重要度の高い異常のみを記憶部１５に記憶しておき、記憶部１５に記憶されている数の異常の情報を順番に表示することができる。使用者は、表示される異常の情報の数が限定されることから、重要度の高い異常を見落とすことなく認識できる。
【００３０】
図３は、本実施の形態に係る空気調和機４において、空気調和機４に発生する異常を検出して表示する処理を示すフローチャートである。
【００３１】
まず、室内機１の制御部１２は、空気調和機４が空調制御の非運転時すなわち停止中か否かを確認する（ステップＳ１）。停止中の場合（ステップＳ１：Ｙｅｓ）、制御部１２は、漏洩センサ１３を動作させる（ステップＳ２）。制御部１２は、漏洩センサ１３で冷媒の漏洩が検出されたか否かを確認する（ステップＳ３）。漏洩センサ１３において冷媒の漏洩が検出された場合（ステップＳ３：Ｙｅｓ）、制御部１２は、漏洩センサ１３で検出された異常の情報を記憶部１５に記憶させる（ステップＳ４）。制御部１２は、記憶部１５に記憶されている異常の情報を、室内機１の表示部１６、室外機２の表示部２４、リモコン３の表示部３２、のいずれかまたは全部に表示させる制御を行う（ステップＳ５）。また、制御部１２は、室内機１の内部に漏洩された冷媒が滞留することを防ぐため、室内機１のファン１８を回転すなわち駆動させる制御を行い（ステップＳ６）、処理を終了する。
【００３２】
ステップＳ３に戻って、漏洩センサ１３において冷媒の漏洩が検出されていない場合（ステップＳ３：Ｎｏ）、制御部１２は、処理を終了する。
【００３３】
ステップＳ１に戻って、空気調和機４が空調制御の運転中の場合（ステップＳ１：Ｎｏ）、制御部１２は、漏洩センサ１３、センサ１４−１，１４−２、およびセンサ２３−１，２３−２を動作させる（ステップＳ７）。制御部１２は、漏洩センサ１３、またはセンサ１４−１，１４−２、またはセンサ２３−１，２３−２において異常が検出されたか否かを確認する（ステップＳ８）。漏洩センサ１３、またはセンサ１４−１，１４−２、またはセンサ２３−１，２３−２において異常が検出された場合（ステップＳ８：Ｙｅｓ）、制御部１２は、異常が検出されたセンサに基づく異常の情報を記憶部１５に記憶させる（ステップＳ９）。制御部１２は、記憶部１５に記憶されている異常の情報を、室内機１の表示部１６、室外機２の表示部２４、リモコン３の表示部３２、のいずれかまたは全部に表示させる制御を行う（ステップＳ１０）。制御部１２は、検出された異常が漏洩センサ１３で検出された冷媒の漏洩であり（ステップＳ１１：Ｙｅｓ）、室内機１のファン１８が停止中の場合（ステップＳ１２：Ｙｅｓ）、室内機１の内部に漏洩された冷媒が滞留することを防ぐため、室内機１のファン１８を回転すなわち駆動させる制御を行い（ステップＳ６）、処理を終了する。
【００３４】
漏洩センサ１３、センサ１４−１，１４−２、およびセンサ２３−１，２３−２において異常が検出されていない場合（ステップＳ８：Ｎｏ）、および、検出された異常が漏洩センサ１３で検出された冷媒の漏洩ではない場合（ステップＳ１１：Ｎｏ）、および、室内機１のファン１８が動作中の場合（ステップＳ１２：Ｎｏ）、制御部１２は、処理を終了する。
【００３５】
制御部１２は、図３に示す空気調和機４に発生する異常を検出する処理を、常時または定期的に繰り返し実施する。
【００３６】
なお、室内機１では、ファン１８が動作中の場合、冷媒の漏洩があっても内部に漏洩された冷媒が滞留しない。そのため、制御部１２は、室内機１のファン１８が動作中のときは漏洩センサ１３に電力を供給せず、漏洩センサ１３の動作を停止してもよい。
【００３７】
つぎに、制御部１２が、いずれかのセンサで新たに検出された異常の情報を記憶部１５に記憶させる処理について説明する。図４は、本実施の形態に係る空気調和機４において、空気調和機４で検出された異常の情報を記憶する処理を示すフローチャートである。図４は、図３のフローチャートにおけるステップＳ４およびステップＳ９の処理の詳細を示すものである。制御部１２は、新たに検出された異常の情報を記憶部１５に記憶させても、記憶部１５で記憶している異常の情報の数が規定された数すなわち記憶可能な数を超えない場合（ステップＳ２１：Ｙｅｓ）、新たに検出された異常の情報を記憶部１５に記憶させる（ステップＳ２２）。
【００３８】
制御部１２は、新たに検出された異常の情報を記憶部１５に記憶させると、記憶部１５で記憶している異常の情報の数が規定された数すなわち記憶可能な数を超える場合（ステップＳ２１：Ｎｏ）、新たに検出された異常の重要度よりも低い重要度の異常の情報が記憶部１５にあるか否かを確認する（ステップＳ２３）。制御部１２は、新たに検出された異常の重要度よりも低い重要度の異常の情報が記憶部１５にある場合（ステップＳ２３：Ｙｅｓ）、記憶部１５から最も低い重要度の異常の情報を削除し（ステップＳ２４）、新たに検出された異常の情報を記憶部１５に記憶させる（ステップＳ２２）。制御部１２は、新たに検出された異常の重要度よりも低い重要度の異常の情報が記憶部１５にない場合（ステップＳ２３：Ｎｏ）、新たに検出された異常の情報を記憶部１５に記憶しない（ステップＳ２５）。
【００３９】
つぎに、制御部１２が、記憶部１５に記憶されている異常の情報を表示する処理について説明する。図５は、本実施の形態に係る空気調和機４において、空気調和機４で検出された異常の情報を表示する処理を示すフローチャートである。図５は、図３のフローチャートにおけるステップＳ５およびステップＳ１０の処理の詳細を示すものである。制御部１２は、記憶部１５に記憶されている異常の情報が１つの場合（ステップＳ３１：Ｙｅｓ）、記憶部１５に記憶されている１つの異常の情報を、室内機１の表示部１６、室外機２の表示部２４、およびリモコン３の表示部３２のいずれかまたは全部に表示させる制御を行う（ステップＳ３２）。制御部１２は、記憶部１５に記憶されている異常の情報が複数の場合（ステップＳ３１：Ｎｏ）、記憶部１５に記憶されている複数の異常の情報を、室内機１の表示部１６、室外機２の表示部２４、リモコン３の表示部３２、のいずれかまたは全部にスクロール表示させる制御を行う（ステップＳ３３）。
【００４０】
つづいて、室内機１のハードウェア構成について説明する。室内機１において、通信部１１および通信部１７は、通信データを送受信可能なインタフェース回路により実現される。漏洩センサ１３およびセンサ１４−１，１４−２は、計測器により実現される。記憶部１５は、メモリにより実現される。表示部１６は、ＬＥＤ（Light  Emitting  Diode）またはモニタなどにより実現される。ファン１８は、実際に回転するファン部分およびモータなどの駆動部分により実現される。制御部１２は、処理回路により実現される。すなわち、室内機１は、空気調和機４の異常を検出し、規定された数の異常の情報を記憶し、記憶した異常の情報を表示するための処理回路を備える。処理回路は、メモリに格納されるプログラムを実行するＣＰＵ（Central  Processing  Unit）およびメモリであってもよいし、専用のハードウェアであってもよい。
【００４１】
図６は、本実施の形態にかかる室内機１の処理回路をＣＰＵ９１およびメモリ９２で構成する場合の例を示す図である。処理回路がＣＰＵ９１およびメモリ９２で構成される場合、制御部１２の各機能は、ソフトウェア、ファームウェア、またはソフトウェアとファームウェアとの組み合わせにより実現される。ソフトウェアまたはファームウェアはプログラムとして記述され、メモリ９２に格納される。処理回路では、メモリ９２に記憶されたプログラムをＣＰＵ９１が読み出して実行することにより、各機能を実現する。すなわち、室内機１は、制御部１２が処理回路により実行されるときに、空気調和機４の異常を検出するステップ、規定された数の異常の情報を記憶するステップ、記憶した異常の情報を表示するステップが結果的に実行されることになるプログラムを格納するためのメモリ９２を備える。また、これらのプログラムは、室内機１の手順および方法をコンピュータに実行させるものであるともいえる。ここで、ＣＰＵ９１は、処理装置、演算装置、マイクロプロセッサ、マイクロコンピュータ、プロセッサ、またはＤＳＰ（Digital  Signal  Processor）などであってもよい。また、メモリ９２とは、例えば、ＲＡＭ（Random  Access  Memory）、ＲＯＭ（Read  Only  Memory）、フラッシュメモリ、ＥＰＲＯＭ（Erasable  Programmable  ＲＯＭ）、ＥＥＰＲＯＭ（Electrically  ＥＰＲＯＭ）などの、不揮発性または揮発性の半導体メモリ、磁気ディスク、フレキシブルディスク、光ディスク、コンパクトディスク、ミニディスク、またはＤＶＤ（Digital  Versatile  Disc）などが該当する。メモリ９２は、記憶部１５を実現するメモリと同一であってもよい。
【００４２】
図７は、本実施の形態にかかる室内機１の処理回路を専用のハードウェアで構成する場合の例を示す図である。処理回路が専用のハードウェアである場合、図７に示す処理回路９３は、例えば、単一回路、複合回路、プログラム化したプロセッサ、並列プログラム化したプロセッサ、ＡＳＩＣ（Application  Specific  Integrated  Circuit）、ＦＰＧＡ（Field  Programmable  Gate  Array）、またはこれらを組み合わせたものが該当する。制御部１２の各機能を機能別に処理回路９３で実現してもよいし、各機能をまとめて処理回路９３で実現してもよい。
【００４３】
なお、制御部１２の各機能について、一部を専用のハードウェアで実現し、一部をソフトウェアまたはファームウェアで実現するようにしてもよい。このように、処理回路は、専用のハードウェア、ソフトウェア、ファームウェア、またはこれらの組み合わせによって、上述の各機能を実現することができる。
【００４４】
以上説明したように、本実施の形態によれば、室内機１の制御部１２は、空気調和機４で複数の異常が検出された場合、重要度の高い異常の情報を規定された数だけ記憶させ、記憶した異常の情報を表示させることとした。空気調和機４は、多くの異常が検出された場合でも重要度の高い異常の情報を選択的に規定された数だけ記憶する。これにより、空気調和機４は、記憶容量の大きいメモリを備えることなく、重要度の高い異常を選択的に使用者に表示することができる。使用者は、多くの異常の情報によって埋もれることなく、重要度の高い異常を認識することができる。
【００４５】
なお、空気調和機４は、非運転時において、漏洩センサ１３のみを動作させていたが、これに限定するものではない。空気調和機４は、非運転時において、全てのセンサを動作させてもよい。
【００４６】
以上の実施の形態に示した構成は、本発明の内容の一例を示すものであり、別の公知の技術と組み合わせることも可能であるし、本発明の要旨を逸脱しない範囲で、構成の一部を省略、変更することも可能である。
【符号の説明】
【００４７】
１  室内機、２  室外機、３  リモートコントローラ（リモコン）、４  空気調和機、１１，１７，２１，３１  通信部、１２，２２  制御部、１３  漏洩センサ、１４−１，１４−２，２３−１，２３−２  センサ、１５  記憶部、１６，２４，３２  表示部、１８  ファン。
【図１】
2017195368.tif 000003
【図２】
2017195368.tif 000004
【図３】
2017195368.tif 000005
【図４】
2017195368.tif 000006
【図５】
2017195368.tif 000007
【図６】
2017195368.tif 000008
【図７】
2017195368.tif 000009
【手続補正書】
【提出日】平成30年4月11日(2018.4.11)
【手続補正１】
【補正対象書類名】特許請求の範囲
【補正対象項目名】全文
【補正方法】変更
【補正の内容】
【特許請求の範囲】
【請求項１】
室内機、室外機、および前記室内機に空調制御の指令をするリモートコントローラを含む空気調和機であって、
各々が異なる異常を検出する複数のセンサと、
前記空気調和機で発生する異常についての異常毎の重要度、および各センサで検出された異常の情報を記憶する記憶部と、
各センサで検出された異常の情報を前記記憶部に記憶させ、前記記憶部に記憶されている異常の情報を表示させる制御を行う制御部と、
を備え、
前記複数のセンサのうち前記室内機において冷媒の漏洩を検出する漏洩センサで検出される異常を最も重要度の高い異常とし、
前記制御部は、各センサで検出された異常の数が前記記憶部で異常の情報を記憶可能な規定された数を超える場合、重要度の高い順に前記規定された数の異常の情報を前記記憶部に記憶させる、
ことを特徴とする空気調和機。
【請求項２】
前記制御部は、前記記憶部において前記規定された数の異常の情報を記憶しており、前記複数のセンサのうちのあるセンサで新たに異常が検出された場合、前記記憶部に記憶されている異常の情報のうち最も低い重要度の異常よりも新たに検出された異常の方が高い重要度の場合、前記記憶部から最も低い重要度の異常の情報を削除し、新たに検出された異常の情報を前記記憶部に記憶させる、
ことを特徴とする請求項１に記載の空気調和機。
【請求項３】
前記制御部は、前記記憶部において前記規定された数の異常の情報を記憶しており、前記複数のセンサのうちのあるセンサで新たに異常が検出された場合、前記記憶部に記憶されている異常の情報のうち最も低い重要度の異常よりも新たに検出された異常の方が低い重要度の場合、新たに検出された異常の情報を前記記憶部に記憶しない、
ことを特徴とする請求項１に記載の空気調和機。
【請求項４】
前記制御部は、前記記憶部に記憶されている異常の情報を、前記室内機、前記室外機、または前記リモートコントローラが備える表示部に表示させる、
ことを特徴とする請求項１から３のいずれか１つに記載の空気調和機。
【請求項５】
前記制御部は、複数の異常の情報をスクロールにより順番に表示させる、
ことを特徴とする請求項４に記載の空気調和機。
【手続補正２】
【補正対象書類名】明細書
【補正対象項目名】０００６
【補正方法】変更
【補正の内容】
【０００６】
上述した課題を解決し、目的を達成するために、本発明に係る空気調和機は、室内機、室外機、および室内機に空調制御の指令をするリモートコントローラを含む。空気調和機は、各々が異なる異常を検出する複数のセンサを備える。また、空気調和機は、空気調和機で発生する異常についての異常毎の重要度、および各センサで検出された異常の情報を記憶する記憶部を備える。また、空気調和機は、各センサで検出された異常の情報を記憶部に記憶させ、記憶部に記憶されている異常の情報を表示させる制御を行う制御部を備える。複数のセンサのうち室内機において冷媒の漏洩を検出する漏洩センサで検出される異常を最も重要度の高い異常とする。制御部は、各センサで検出された異常の数が記憶部で異常の情報を記憶可能な規定された数を超える場合、重要度の高い順に規定された数の異常の情報を記憶部に記憶させることを特徴とする。
【国際調査報告】
2017195368.tif 000010
2017195368.tif 000011